(57)【要約】  【課題】  各患者に施す治療や検査に必要な医療品の取揃えを簡単に且つ確実に行うと共に、迅速に且つ簡単に且つ正確に、消費した医療品の種類と消費数量、種類別の医療品の在庫数量を取得でき、消費されて在庫数量が少なくなった医療品について、必要数量分を迅速且つ確実に発注して補充できる、医療品管理システムを提供する。  【解決手段】  医療品管理システムＭＳ１は、複数の収納管理装置５，６、在庫管理装置７を備え、各収納管理装置５，６のコンピュータが、収納管理装置５，６から取出されて消費した医療品の種類と数量に関する消費医療品情報を作成して在庫管理装置７に出力し、在庫管理装置７では、種類別の医療品の最新の在庫数量と、各収納管理装置から受信した消費医療品情報とに基づいて、種類別の医療品の在庫数量を演算し記憶する。【選択図】  図１
2006149955.tif 000002
【特許請求の範囲】
【請求項１】
医療機関における医療品の管理を行う為の医療品管理システムであって、
複数種類の医療品を収納可能な複数の医療品収納部と、各医療品収納部への医療品の収納の有無を検出する医療品検出手段と、この医療品検出手段からの検出情報に基づいて複数の医療品収納部の医療品に関する管理情報を作成するコンピュータ手段と、このコンピュータ手段により制御され取出し対象の医療品を指示可能な取出指示手段とを夫々有する複数の収納管理装置を備え、
前記各収納管理装置のコンピュータ手段は、取出し対象の医療品に関する情報に基づいて取出指示手段を制御すると共に、消費した医療品の種類と数量に関する消費医療品情報を作成して出力可能に構成され、
前記複数の収納管理装置に通信可能に接続された在庫管理手段であって、この在庫管理手段に記憶した種類別の医療品の最新の在庫数量と、各収納管理装置から受信した消費医療品情報とに基づいて、種類別の医療品の在庫数量を演算し記憶する在庫管理手段を備えたことを特徴とする医療品管理システム。
【請求項２】
前記在庫管理手段は、医療機関に納入された種類別の医療品の納入数量を外部から受けて、前記納入数量に基づいて種類別の医療品の在庫数量を演算し記憶することを特徴とする請求項１に記載の医療品管理システム。
【請求項３】
前記複数種類の医療品は、注射輸液材料、カテーテル、チューブ、麻酔材料、酸素吸入材料、酸素マスク、滅菌フィルター、人工骨、人工関節、のうちの少なくとも１種類の医療材料を含むことを特徴とする請求項１又は２に記載の医療品管理システム。
【請求項４】
前記複数種類の医療品の少なくとも１つは、アンプル又はバイアル又は輸液バックに収容された薬品であることを特徴とする請求項１又は２に記載の医療品管理システム。
【請求項５】
前記医療機関は病院であり、この病院の医療品の取揃えが必要な各部署に１又は複数の前記収納管理装置が設置されていることを特徴とする請求項１〜４の何れかに記載の医療品管理システム。
【請求項６】
前記在庫管理手段は、各部署の１又は複数の前記収納管理装置毎に種類別の医療品の在庫数量を演算し記憶することを特徴とする請求項１〜５の何れかに記載の医療品管理システム。
【請求項７】
前記在庫管理手段が、医療機関に医療品を納入する医療品納入社の医療品納入社端未に通信手段を介して接続されると共に、この在庫管理手段に記憶された種類別の医療品の在庫数量に基づいて、医療品納入社に発注すべき医療品の種類と数量を決定する発注決定手段を有し、
前記発注決定手段により決定された医療品の種類と数量を含む発注情報を医療品納入社端未に出力して発注する発注手段を備えたことを特徴とする請求項１〜６の何れかに記載の医療品管理システム。
【請求項８】
前記在庫管理手段は、種類別の医療品の目標在庫数量を設定する目標在庫数量設定手段を有すると共に、前記発注決定手段は、前記在庫数量と前記目標在庫数量とに基づいて医療品納入社に発注すべき医療品の種類と数量を決定することを特徴とする請求項７に記載の医療品管理システム。
【請求項９】
前記医療機関に少なくとも前記複数の収納管理装置と医療機関端未とを通信可能に接続したローカルエリアネットワークが構築され、前記在庫管理手段は医療機関端未に通信手段を介して接続される管理サーバのデータ処理装置からなることを特徴とする請求項７又は８に記載の医療品管理システム。
【請求項１０】
前記管理サーバに、前記ローカルエリアネットワークを夫々備えた複数の医療機関と前記医療品納入社端未を夫々備えた複数の医療品納入社とを接続可能に構成したことを特徴とする請求項９に記載の医療品管理システム。
【発明の詳細な説明】
【技術分野】
【０００１】
本発明は、医療機関における医療品の管理を行う為の医療品管理システムに関するものである。
【背景技術】
【０００２】
従来、病院等の医療機関においては、種々の病気やケガの患者に施す治療（手術等）や検査のために、種々の医療材料、種々の薬品が取り扱われている。これらの医療品については在庫管理を行い、種類別の医療品の在庫数量、医療品の使用期限を把握できるようにして、不足ぎみの医療品については必要数量分を医療品メーカー等に発注して補充する必要がある。仮に、医療品が不足して治療や検査に支承をきした場合には医療事故に繋がる虞もあり、それ故、医療機関における医療品の在庫管理は重要な業務である。
【０００３】
近年、病院等では、医療品の在庫管理のために、コンピュータを用いて、納入された医療品の納入数量を種類別に入力し、また、治療や検査で消費した医療品の消費数量を種類別に入力することにより、種類別の医療品の在庫数量を計算して記録するようにしている。この医療品の消費数量の入力については、人が介在する入力操作により行うことになる。それ故、種類別の医療品の正確な在庫数量を取得するためには、医療品の消費数量を種類別に間違いなく入力することが必要になる。
【０００４】
ここで、コンピュータを用いて医療品の在庫管理を行う技術は種々考えられるが、各種類の医療品の適正な在庫数量を確保しておくためには、各種類の医療品について、在庫数量の監視、補充すべき数量の決定、その数量の発注等が必要になり、現状では、その為の作業負担が大きい。そこで、特許文献１には、管理サーバにインターネットを介して医療機関端未と物流センター端未を接続して所定の情報通信を行い、管理サーバにおいて、医療機関の医療材料の在庫管理を行うと共に、発注すべき医療材料の種類と数量を算出して物流センターに発注するように構成した医療材料管理システムが開示されている。
【０００５】
一方、病院等では、取り扱う医療品の種類が非常に多いため、それら多種の医療品の中から、各患者の治療や検査に使用する医療品を間違いなく慎重に取揃える必要があり、それを誤った場合には医療事故に繋がる虞がある。そこで、本願出願人は、特許文献２のように、複数の薬品収納部と、複数の薬品検出センサと、複数の指示ランプとを備え、各患者に施用する薬品の薬品情報に基づいて、その薬品が収納されている薬品収納部の指示ランプを点灯させるように構成した薬品収納管理装置を実用化している。
【０００６】
【特許文献１】特開２００２−２５９７７８号公報
【特許文献２】特開２００２−１１０７２号公報
【発明の開示】
【発明が解決しようとする課題】
【０００７】
従来、病院等の医療機関における医療品の管理では、在庫管理用のコンピュータを用いた場合でも、特に、医療品の消費数量の入力については、人が介在する入力操作により行うことになるため、その消費数量の入力忘れや入力ミスが生じる虞があり、種類別の医療品の在庫数量を迅速に且つ容易に且つ正確に取得することができない。従って、消費されて在庫数量が少なくなった医療品について、必要数量分を迅速且つ確実に医療品メーカー等に発注して補充することができない。
【０００８】
その結果、医療品が不足した場合には医療事故に繋がる虞があり、逆に、医療品の在庫数量が過剰になる虞もあり、その場合、使用期限を過ぎて無駄になる医療品が多く発生し、結局、種類別の医療品の在庫数量を過不足のない適切な数量に確保できない。特許文献１の医療材料管理システムでは、医療機関における医療品の消費数量の入力について、例えば、バーコードリーダを用いて行うが、やはり、人が介在する入力操作となるため、前記と同様の課題が生じ、種類別の医療品の信頼できる在庫数量を取得できない虞がある。
【０００９】
ここで、特許文献２のように、各患者に施用する薬品の取揃えを支援する薬品収納管理装置は実用化されているが、各患者に施す治療や検査に必要な医療材料の取揃えを支援するものについては実用化されていない。例えば、病院の複数部署のうち患者に手術を施す手術部では、多種の医療材料が使用されるが、従来より、これら医療材料の中から各患者に施す手術に必要な医療材料の取揃えを簡単に且つ確実に行うこと、つまり、医療材料の取揃え作業を効率化することが難しい。
【００１０】
本発明の目的は、各患者に施す治療や検査に必要な医療品の取揃えを簡単に且つ確実に行い、迅速に且つ簡単に且つ正確に、消費した医療品の種類と消費数量、種類別の医療品の在庫数量を取得でき、消費されて在庫数量が少なくなった医療品について、必要数量分を迅速且つ確実に発注して補充できる、医療品管理システムを提供することである。
【課題を解決するための手段】
【００１１】
請求項１の医療品管理システムは、医療機関における医療品の管理を行う為の医療品管理システムであって、複数種類の医療品を収納可能な複数の医療品収納部と、各医療品収納部への医療品の収納の有無を検出する医療品検出手段と、この医療品検出手段からの検出情報に基づいて複数の医療品収納部の医療品に関する管理情報を作成するコンピュータ手段と、このコンピュータ手段により制御され取出し対象の医療品を指示可能な取出指示手段とを夫々有する複数の収納管理装置を備え、前記各収納管理装置のコンピュータ手段は、取出し対象の医療品に関する情報に基づいて取出指示手段を制御すると共に、消費した医療品の種類と数量に関する消費医療品情報を作成して出力可能に構成され、前記複数の収納管理装置に通信可能に接続された在庫管理手段であって、この在庫管理手段に記憶した種類別の医療品の最新の在庫数量と、各収納管理装置から受信した消費医療品情報とに基づいて、種類別の医療品の在庫数量を演算し記憶する在庫管理手段を備えたことを特徴とする。
【００１２】
各収納管理装置においては、複数種類の医療品を収納可能な複数の医療品収納部が設けられ、医療品検出センサにより各医療品収納部への医療品の収納の有無が検出されるため、複数の医療品収納部の各々について複数種類の医療品の何れかを予め対応付けておくことにより、コンピュータ手段により、各医療品収納部への医療品の収納の有無、医療品収納部に収納されている医療品の種類と数量、医療品収納部から取出した医療品の種類と数量、医療品収納部に取入れた（補充又は返却した）医療品の種類と数量等、複数の医療品収納部の医療品に関する管理情報が作成される。ここで、医療品検出手段としては、複数の医療品収納部に夫々設けられた複数の医療品検出センサを適用することが好ましい。
【００１３】
また、各収納管理装置においては、コンピュータ手段により、各患者に施す治療や検査に必要な医療品（取出し対象の医療品）に関する情報に基づいて取出指示手段が制御され、その取出指示手段により取出し対象の医療品が指示される。取出し対象の医療品に関する情報については、例えば、この収納管理装置の外部のデータ処理装置で作成された情報である。ここで、取出指示手段として、複数の医療品収納部に夫々対応して設けられた複数の指示ランプを適用することが好ましい。
【００１４】
そして、このコンピュータ手段により、例えば、前記管理情報を利用することにより、更に、医療品収納部に医療品を取入れた場合には、その取入れが補充であるのか又は返却であるのかを指定することにより、消費した（つまり、在庫でなくなった）医療品の種類と数量が演算されて、その種類と数量に関する消費医療品情報が作成される。複数の収納管理装置に在庫管理手段が通信可能に接続されており、各収納管理装置から在庫管理手段に消費医療品情報が出力される。
【００１５】
在庫管理手段により、この在庫管理手段に記憶した種類別の医療品の最新の在庫数量と、各収納管理装置から受信した消費医療品情報とに基づいて、種類別の医療品の在庫数量が演算され記憶される。在庫管理手段については、この医療機関内に設けてローカルエリアネットワークを介して収納管理装置と接続するようにしてもよいし、この医療機関外の管理サーバに設けてインターネット及びローカルエリアネットワークを介して収納管理装置と接続するようにしてもよい。
【００１６】
請求項１の発明においては、次の構成を採用可能である。
前記在庫管理手段は、医療機関に納入された種類別の医療品の納入数量を外部から受けて、前記納入数量に基づいて種類別の医療品の在庫数量を演算し記憶する（請求項２）。前記複数種類の医療品は、注射輸液材料、カテーテル、チューブ、麻酔材料、酸素吸入材料、酸素マスク、滅菌フィルター、人工骨、人工関節、のうちの少なくとも１種類の医療材料を含む（請求項３）。
【００１７】
前記複数種類の医療品の少なくとも１つは、アンプル又はバイアル又は輸液バックに収容された薬品である（請求項４）。前記医療機関は病院であり、この病院の医療品の取揃えが必要な各部署に１又は複数の前記収納管理装置が設置されている（請求項５）。前記在庫管理手段は、各部署の１又は複数の前記収納管理装置毎に種類別の医療品の在庫数量を演算し記憶する（請求項６）。
【００１８】
前記在庫管理手段が、医療機関に医療品を納入する医療品納入社の医療品納入社端未に通信手段を介して接続されると共に、この在庫管理手段に記憶された種類別の医療品の在庫数量に基づいて、医療品納入社に発注すべき医療品の種類と数量を決定する発注決定手段を有し、前記発注決定手段により決定された医療品の種類と数量を含む発注情報を医療品納入社端未に出力して発注する発注手段を備える（請求項７）。
【００１９】
前記在庫管理手段は、種類別の医療品の目標在庫数量を設定する目標在庫数量設定手段を有すると共に、前記発注決定手段は、前記在庫数量と前記目標在庫数量とに基づいて医療品納入社に発注すべき医療品の種類と数量を決定する（請求項８）。前記医療機関に少なくとも前記複数の収納管理装置と医療機関端未とを通信可能に接続したローカルエリアネットワークが構築され、前記在庫管理手段は医療機関端未に通信手段を介して接続される管理サーバのデータ処理装置からなる（請求項９）。前記管理サーバに、前記ローカルエリアネットワークを夫々備えた複数の医療機関と前記医療品納入社端未を夫々備えた複数の医療品納入社とを接続可能に構成する（請求項１０）。
【発明の効果】
【００２０】
請求項１の医療品管理システムによれば、複数の医療品収納部と医療品検出手段とコンピュータ手段と取出指示手段とを夫々有する複数の収納管理装置を設けたので、各収納管理装置において、医療品検出手段が各医療品収納部への医療品の収納の有無を検出し、各患者に施す治療や検査に必要な医療品（取出し対象の医療品）に関する情報に基づいて、コンピュータ手段が取出指示手段を制御し、その取出指示手段が取出し対象の医療品を指示するため、その取出し対象の医療品の医療品収納部からの取出しを簡単に且つ確実に行って、その医療品の取揃え作業を効率化し、医療品の取揃えミスによる医療事故を極力防止できる。また、各収納管理装置において、コンピュータ手段は、各医療品収納部への医療品の収納の有無、医療品収納部に収納されている医療品の種類と数量、医療品収納部から取出した医療品の種類と数量、医療品収納部に取入れた（補充又は返却した）医療品の種類と数量等、複数の医療品収納部の医療品に関する管理情報を作成するので、この管理情報に基づいて、例えば、医療品の取出し前又は後の収納状態を、必要な医療品を過不足なく収納した適切な収納状態にしておくことができ、また、医療品の取出しの際、取出し対象の医療品が収納されていない場合には、それを指示するようにも構成できる。
【００２１】
しかも、各収納管理装置において、コンピュータ手段は、例えば、前記管理情報を利用することにより、更に、医療品収納部に医療品を取入れた場合には、その取入れが補充であるのか又は返却であるのかを指定することにより、消費した（つまり、在庫でなくなった）医療品の種類と数量を演算して、その種類と数量に関する消費医療品情報を作成する。ここで、使用した医療品の種類と数量の情報を記録できるため、その情報に基づいて医療保険請求を漏れなく確実に行うことができる。そして、複数の収納管理装置に通信可能に接続された在庫管理手段が、この在庫管理手段に記憶した種類別の医療品の最新の在庫数量と、各収納管理装置から受信した消費医療品情報とに基づいて、種類別の医療品の在庫数量を演算し記憶するので、迅速に且つ簡単に且つ正確に、消費した医療品の種類と消費数量、種類別の医療品の在庫数量を取得でき、消費されて在庫数量が少なくなった医療品について、必要数量分を迅速且つ確実に発注して補充でき、その結果、この医療機関の種類別の医療品の在庫数量を過不足のない適切な数量に確保できる。以上のことから、病院等の医療機関の運営（経営）に貢献することが可能になる。
【００２２】
請求項２の医療品管理システムによれば、在庫管理手段は、医療機関に納入された種類別の医療品の納入数量を外部から受けて、前記納入数量に基づいて種類別の医療品の在庫数量を演算し記憶するので、この医療機関における種類別の医療品の在庫数量を確実に取得することができる。
【００２３】
請求項３の医療品管理システムによれば、複数種類の医療品は、注射輸液材料、カテーテル、チューブ、麻酔材料、酸素吸入材料、酸素マスク、滅菌フィルター、人工骨、人工関節、のうちの少なくとも１種類の医療材料を含むので、これら医療材料のうちの少なくとも１種類の医療材料の管理を確実に行うことができる。
【００２４】
請求項４の医療品管理システムによれば、複数種類の医療品の少なくとも１つは、アンプル又はバイアル又は輸液バックに収容された薬品であるので、これら薬品の少なくとも１つの管理を確実に行うことができる。
【００２５】
請求項５の医療品管理システムによれば、医療機関は病院であり、この病院の医療品の取揃えが必要な各部署に１又は複数の収納管理装置を設置しているので、この収納管理装置を設置した部署において、医療品の管理を確実に行うことができる。
【００２６】
請求項６の医療品管理システムによれば、在庫管理手段は、各部署の１又は複数の収納管理装置毎に種類別の医療品の在庫数量を演算し記憶するので、この収納管理装置を設置した部署毎に、種類別の医療品の在庫数量を管理し、それら在庫数量を過不足のない適切な数量に確保することができる。
【００２７】
請求項７の医療品管理システムによれば、在庫管理手段が、医療機関に医療品を納入する医療品納入社の医療品納入社端未に通信手段を介して接続されると共に、この在庫管理手段に記憶された種類別の医療品の在庫数量に基づいて、医療品納入社に発注すべき医療品の種類と数量を決定する発注決定手段を有し、発注決定手段により決定された医療品の種類と数量を含む発注情報を医療品納入社端未に出力して発注する発注手段を備えたので、医療品納入社に発注すべき医療品の種類と数量を確実に決定することができ、その医療品の種類と数量の医療品納入社への発注を円滑に且つ確実に行うことができる。
【００２８】
請求項８の医療品管理システムによれば、在庫管理手段は、種類別の医療品の目標在庫数量を設定する目標在庫数量設定手段を有すると共に、発注決定手段は、前記在庫数量と前記目標在庫数量とに基づいて医療品納入社に発注すべき医療品の種類と数量を決定するので、種類別の医療品の目標在庫数量を設定しておくことにより、自動的に医療品納入社に発注すべき医療品の種類と数量を決定することができる。
【００２９】
請求項９の医療品管理システムによれば、医療機関に少なくとも複数の収納管理装置と医療機関端未とを通信可能に接続したローカルエリアネットワークを構築し、在庫管理手段は医療機関端未に通信手段を介して接続される管理サーバのデータ処理装置からなるので、この医療品管理システムの医療品を管理する大部分の処理を医療機関外部の管理サーバのデータ処理装置で実行させることができ、医療機関においては、この医療品管理システムを構築する負担を極力抑えて、この医療品管理システムを適用することができるため、この医療品管理システムが汎用性に非常に優れたものになる。
【００３０】
請求項１０の医療品管理システムによれば、管理サーバに、ローカルエリアネットワークを夫々備えた複数の医療機関と医療品納入社端未を夫々備えた複数の医療品納入社とを接続可能に構成したので、複数の医療機関がこの医療品管理システムの管理サーバを共有でき、また、各医療機関において、多種多様の医療品を管理サーバを介して複数の医療品納入社の中の適当な医療品納入社に発注できる。
【発明を実施するための最良の形態】
【００３１】
本実施形態の医療品管理システムは、医療機関における医療品の管理を行う為のシステムであり、特に、複数種類の医療品（医療材料、薬品）を収納可能な複数の医療品収納部と、各医療品収納部への医療品の収納の有無を検出する医療品検出手段と、この医療品検出手段からの検出情報に基づいて複数の医療品収納部の医療品に関する管理情報を作成するコンピュータ手段と、このコンピュータ手段により制御され取出し対象の医療品を指示可能な取出指示手段とを夫々有する複数の収納管理装置を備えたものである。
【実施例１】
【００３２】
図１に示すように、この医療機関１は病院（総合病院）であり、この医療機関１には、手術部２、薬局３、病棟４等の複数の部署（その他、救急外来、中央処置室、透析、Ｘ線、ＩＣＵ、ＨＩＣＵ、ＮＩＣＵ等々）が設置されており、医療品（医療材料、薬品）の取揃えが必要な各部署に、１又は複数の医療材料収納管理装置５、及び／又は、１又は複数の薬品収納管理装置６が設置されている。例えば、手術部２には医療材料収納管理装置５と薬品収納管理装置６が、薬局３には薬品収納管理装置６が、病棟４には医療材料収納管理装置５と薬品収納管理装置６が、夫々設置されている。
【００３３】
また、この医療機関１には、在庫管理装置７と納入管理装置８が設けられ、複数の医療材料収納管理装置５と複数の薬品収納管理装置６と在庫管理装置７と納入管理装置８とを通信可能に接続するローカルエリアネットワーク９（ＬＡＮ９）が構築されている。尚、このＬＡＮ９には、医療機関１内に設けられた他の種々のデータ処理装置を接続可能である。実施例１の医療品管理システムＭＳ１は、複数の医療材料収納管理装置５、複数の薬品収納管理装置６、在庫管理装置７、納入管理装置８、ＬＡＮ９等で構成されている。
【００３４】
図２に示すように、医療材料収納管理装置５、薬品収納管理装置６は、夫々、複数種類の医療品（医療材料、薬品）を収納可能な複数の医療品収納部１０、複数の医療品収納部１０に夫々設けられ各医療品収納部１０への医療品の収納の有無を検出する医療品検出センサ１１（医療品検出手段）、医療品検出センサ１１からの検出情報に基づいて複数の医療品収納部１０の医療品に関する管理情報を作成するコンピュータ１２（コンピュータ手段）、複数の医療品収納部１０に夫々対応付けて設けられ且つコンピュータ１２により制御され取出し対象の医療品を指示可能な指示ランプ１３（取出指示手段）を有する。
【００３５】
コンピュータ１２は、ＣＰＵ、ＲＯＭ、ＲＡＭ、Ｉ／Ｏ（入出力インターフェース）を備え、そのＩ／Ｏに、複数の医療品検出センサ１１と複数の指示ランプ１３が接続されている。尚、各医療品収納部１０には１つの医療品のみを収納可能に構成してある。但し、各医療品収納部１０に（同種の）複数の医療品を収納可能に構成してもよく、この場合、各医療品収納部１０に複数の医療品検出センサ１１を設けることが好ましい。
【００３６】
また、医療材料収納管理装置５、薬品収納管理装置６には、夫々、ハードディスク等の記憶装置１４、液晶ディスプレイ等の表示装置１５、キーボードやマウスやタッチパネル等の入力装置１６、バーコードリーダやＩＣリーダ等の読取装置１７、インクジェットプリンタ等の印刷装置１８が設けられ、これらの機器１４〜１８はコンピュータ１２のＩ／Ｏに接続されている。尚、これらの機器１４〜１８の少なくとも一部を省略可能である。
【００３７】
図３に示すように、記憶装置１４には、コンピュータ１２のＣＰＵが実行する収納管理プログラムが格納され、医療品マスタファイル２０、対応情報ファイル２１、管理情報ファイル２２が記憶されている。
【００３８】
図４に示すように、医療品マスタファイル２０には、複数種類の医療品の医療品情報が記憶されており、各医療品情報は、その医療品の医療品コード、医療品名称、規格数量の情報を含んでいる。図５に示すように、対応情報ファイル２１には、複数の医療品収納部１０の医療品収納部コードと、これら医療品収納部コードの各々に対応付けて予め設定された複数種類の医療品の何れかの医療品コード（対応情報テーブル）が記憶されている。
【００３９】
各収納管理装置５，６のコンピュータ１２では、複数の医療品検出センサ１１からの検出情報に基づいて、更には、対応情報ファイル２１に記憶された対応情報テーブルに基づいて、図６に示すように、各医療品収納部１０への医療品の収納の有無、医療品収納部１０に収納されている医療品の種類と数量、医療品収納部１０から取出した医療品の種類と数量、医療品収納部１０に取入れた（補充又は返却した）医療品の種類と数量等、複数の医療品収納部１０の医療品に関する管理情報が作成される。
【００４０】
ここで、この医療品管理システムＭＳ１の医療材料収納管理装置５として、採用可能な次の４種類の医療材料収納管理装置５Ａ〜５Ｄの具体的な構成について説明する。尚、医療材料収納管理装置５に収納される複数種類の医療品は、注射輸液材料、カテーテル、チューブ、麻酔材料、酸素吸入材料、酸素マスク、滅菌フィルター、人工骨、人工関節、のうちの少なくとも１種類の医療材料を含んでいる。
【００４１】
医療材料収納管理装置５Ａ・・・図７-1〜図７-4参照
この医療材料収納管理装置５Ａは、コンピュータ１２Ａを備えた直方体状の筐体３０と、筐体３０の前側を開閉する扉３１と、筐体３０の内部に設置された複数段の棚３２とを備えている。各棚３２は横長の板状に形成され、その上側部分を複数の仕切部材３３で仕切って複数の医療品収納部１０Ａが形成され、各医療品収納部１０Ａにおいて、医療品は棚３２の上面に載置した状態で収納される。各棚３２には、前後１対の取付穴３２ａが左右方向に一定間隔おきに複数組形成され、各仕切部材３３は、その前後１対の挿入部３３ａを前後１対の取付穴３２ａに挿入することで棚３２に装着される。
【００４２】
ところで、カテーテル等の医療材料は立置き用の左右幅が比較的小さな医療材料ケースに収容された状態で医療品収納部１０Ａに収容されることになる。但し、このような医療材料ケースは一定の左右幅のものばかりでない。それ故、左右方向に隣合う取付穴３２ａ間の間隔は、医療材料ケースの最小の左右幅に合わせた間隔とされ、各医療品収納部１０Ａについては、収納予定の医療品ケースの左右幅に合わせて、仕切部材３３の取付け位置を調節して左右収納幅を調節することができる。
【００４３】
各棚３２の上面部分には、左右に隣合う取付穴３２ａの各間（場合により更に左右方向端部の取付穴３２ａと棚３２の端縁の間）に１つの医療品検出センサ１１Ａが位置するように、複数の医療品検出センサ１１Ａが取付けられ、各棚３２の前面部分に、複数の医療品検出センサ１１Ａと夫々対となる複数の指示ランプ１３Ａが取り付けられている。医療品検出センサ１１Ａは医療品を直接的に検出するセンサであり、この医療品検出センサ１１Ａとして、メカニカルスイッチ、フォトセンサ、容量センサ等を適用可能である。指示ランプ１３Ａとして、発光ダイオード、豆電球等を適用可能である。
【００４４】
この収納管理装置５Ａでは、複数の仕切部材３３の取付け位置、つまり、複数の医療品収納部１０Ａの配置を種々変更できるが、コンピュータ１２Ａでは、取付穴３２ａへの仕切部材３３の取付けの有無を検出する取付センサを設けることにより、その取付センサからの情報に基づいて、自動的に複数の医療品収納部１０Ａの配置を判断可能である。
【００４５】
医療材料収納管理装置５Ｂ・・・図８-1〜図８-3参照
この医療材料収納管理装置５Ｂは、コンピュータ１２Ｂを備えた直方体状の筐体４０と、筐体４０の前側を開閉する扉４１と、筐体４０の内部に設置された複数段の棚４２とを備えている。各棚４２は横長の板状に形成され、その上側部分を複数の仕切部材４３で仕切って複数の医療品収納部１０Ｂが形成され、各医療品収納部１０Ｂに可動部材４４が配設され、各医療品収納部１０Ｂにおいて、医療品は可動部材４４の下側で棚４２の上面に載置した状態で収納される。各棚４２には、前後１対の取付穴４２ａが左右方向に一定間隔おきに複数組形成され、各仕切部材４３は、その前後１対の挿入部４３ａを前後１対の取付穴４２ａに挿入することで棚４２に装着される。
【００４６】
また、各棚４２には、その後端部上側に左右方向に延びる枢支軸４５が取り付けられ、各可動部材４４はその後端部の係合部４４ａが枢支軸４５に係合して揺動自在に枢着される。各可動部材４４は、係合部４４ａと、係合部４４ａから前側に延びる連結部４４ｂと、連結部４４ｂの前端部に設けられた銘板部４４ｃとを有する。医療品が収納されていない医療品収納部１０Ｂの可動部材４４は図８-2に示す状態となり、銘板部４４ｃが棚４２の前面を覆った状態になる。医療品が医療品収納部１０Ｂに収納されると、その医療品収納部１０Ｂの可動部材４４が、可動部材４４の下側に挿入された医療品によって連結部４４ｂを押されて上方へ揺動する。
【００４７】
ところで、注射輸液材料等の医療材料は横置き用の左右幅が比較的大きな医療材料ケースに収容された状態で医療品収納部１０Ｂに収容されることになる。但し、このような医療材料ケースは一定の左右幅のものばかりでない。それ故、左右方向に隣合う取付穴４２ａ間の間隔は、医療材料ケースの最小の左右幅に合わせた間隔とされ、各医療品収納部１０Ｂについては、収納予定の医療品ケースの左右幅に合わせて、仕切部材４３の取付け位置を調節して左右収納幅を調節することができる。尚、各医療品収納部１０Ｂには、その左右収納幅に合った大きさの可動部材４４を配設することが好ましい。
【００４８】
各棚４２の前面部分には、左右に隣合う取付穴４２ａの各間（場合により更に左右方向端部の取付穴４２ａと棚４２の端縁の間）の前側に、１つの医療品検出センサ１１Ｂ及び指示ランプ１３Ｂが位置するように、複数の医療品検出センサ１１Ｂ及び指示ランプ１３Ｂが取り付けられている。医療品検出センサ１１Ｂは医療品を可動部材４４を介して間接的に検出するセンサであり、医療品が収納されていない医療品収納部１０Ｂの可動部材４４の銘板部４４ｃが、医療品検出センサ１１Ｂに近接して指示ランプ１３を覆い隠し、この医療品収納部１０Ｂに医療品が収納されると、銘板部４４ｃが上昇して、医療品検出センサ１１Ｂから離隔して指示ランプ１３Ｂが視認可能になる。
【００４９】
この収納管理装置５Ｂにおいて、複数の仕切部材４３の取付け位置、つまり、複数の医療品収納部１０Ｂの配置を種々変更することができるが、コンピュータ１２Ｂでは、取付穴４２ａへの仕切部材４３の取付けの有無を検出する取付センサを設けることにより、その取付センサからの情報に基づいて、自動的に複数の医療品収納部１０Ｂの配置を判断可能である。尚、医療品検出センサ１１Ｂ、指示ランプ１３Ｂの適用例は前記収納管理装置５Ａの場合と同様である。
【００５０】
医療材料収納管理装置５Ｃ・・・図９-1〜図９-4参照
この医療材料収納管理装置５Ｃは、コンピュータ１２Ｃを備えた直方体状の筐体５０と、筐体５０の前側を開閉する扉５１と、筐体５０の内部の上端部分に設置された横架材５２とを備えている。横架材５２は横長で縦断面矩形枠の中空状に形成され、その横架材５２の下板部に複数の長穴５２ａが左右方向に並ぶように形成され、これら長穴５２ａに夫々挿通状に装着された複数の吊持部材５３が設けられている。複数の吊持部材５３付近及びその下側が複数の医療品収納部１０Ｃとなり、各医療品収納部１０Ｃにおいて、チューブ等の医療品は吊持部材５３に吊下げられた状態で収納される。
【００５１】
各吊持部材５３は側面視Ｔ字形に形成され、その上端部の連結部５３ａが横架材５２の内部に収容され、連結部５３ａから下方へ延びる直線状の揺動部５３ｂが挿通穴５２ａを挿通し、揺動部５３ｂの下端部にフック部５３ｃが形成されている。横架材５２の内部には左右方向に延びる枢支軸５４が取り付けられ、各吊持部材５３は、その連結部５３ａが枢支軸４５に外嵌されて揺動自在に枢着され、その連結部５３ａには、前端部に被検出部５３ｄが設けられ、後端部に重り部５３ｅが設けられている。
【００５２】
横架材５２の内部に複数の吊持部材５３の被検出部５３ｄに対応する複数の医療品検出センサ１１Ｃが取付けられ、横架材５２の前面部に複数の吊持部材５３に対応する複数の指示ランプ１３Ｃが取付けられている。図９-3に示すように、医療品が吊り下げられていない吊持部材５３はその重り部５３ｅにより前方下がり傾斜状の姿勢になり、被検出部５３ｄが医療品検出センサ１１Ｃから離隔した状態になる。この吊持部材５３に医療品を吊下げると、吊持部材５３が鉛直姿勢になり、被検出部５３ｄが医療品検出センサ１１Ｃに近接した状態になる。尚、医療品検出センサ１１Ｃ、指示ランプ１３Ｃの適用例は前記収納管理装置５Ａの場合と同様である。
【００５３】
医療材料収納管理装置５Ｄ・・・図１０-1、図１０-2参照
この医療材料収納管理装置５Ｄは、コンピュータ１２Ｄを備えた直方体状の筐体６０と、筐体６０の内部に設置された複数段の棚６２とを備えている。各棚６２は横長の板状に形成され、各棚６２の内部に、医療品検出手段に相当するＩＣリーダの複数のアンテナ１１Ｄが取付けられ、これらアンテナ１１Ｄの上側が複数の医療品収納部１０Ｄをなし、各医療品収納部１０Ｄにおいて、ＩＣタグ６３が装着された医療品が棚６２の上面に載置した状態で収納される。ＩＣリーダがコンピュータ１２Ｄに接続され、ＩＣタグ６３のＩＣチップには、そのＩＣタグ６３を装着する医療品の医療品情報が記憶されている。
【００５４】
尚、この医療品管理システムＭＳ１に採用可能な薬品収納管理装置６の具体的な構成については説明を省略する。尚、薬品収納管理装置６に収納される複数種類の薬品の少なくとも１つは、アンプル又はバイアル又は輸液バックに収容された薬品である。
【００５５】
ここで、各収納管理装置５，６のコンピュータ１２は、取出し対象の医療品に関する情報に基づいて複数の指示ランプ１３を制御して、取出し対象の医療品が収納された１又は複数の医療品収納部１０の指示ランプ１３を点灯させる。この取出し対象の医療品に関する情報については、各患者の処方箋毎、治療（手術）毎、検査毎等の情報であって、読取装置１７により帳票等の書類に付されたバーコードやＩＣチップから読取られた情報、所定のデータ処理装置からＬＡＮ９を介して受信した情報、入力装置１５により別途入力された情報、等である。
【００５６】
また、各収納管理装置５，６のコンピュータ１２は、この収納管理装置５，６から取出して消費した医療品の種類と数量に関する消費医療品情報を作成して在庫管理装置７に出力可能に構成されている。ここで、各収納管理装置５，６から取出された医療品については、実際に使用（破損も含む）して消費されるものが殆どであるが、使用せずに収納管理装置５，６に返却されるものもあり、当然、返却された医療品は消費医療品とならない。
【００５７】
そこで、各収納管理装置５，６のコンピュータ１２では、各患者の処方箋毎、治療（手術）毎、検査毎等に行われる医療品の取揃え作業の開始から終了迄の間において、取出した医療品の種類と数量と返却した医療品の種類と数量とに基づいて、消費した医療品の種類と数量を示す消費医療品情報を作成し、取揃え作業後に在庫管理装置７に出力するように構成できる。尚、各収納管理装置５，６のコンピュータ１２から在庫管理装置７へは、前記消費医療品情報として、取出した医療品の種類と数量と返却した医療品の種類と数量とを直接出力してもよい。この場合、在庫管理装置７において、各収納管理装置５，６から取出して消費した医療品の種類と数量を算出することができる。
【００５８】
次に、在庫管理装置７、納入管理装置８について説明する。
図１１、図１２に示すように、在庫管理装置７は、パーソナルコンピュータ等のデータ処理装置からなり、この在庫管理装置７には、処理装置本体７０、マウス７１、キーボード７２、ディスプレイ７３が設けられている。処理装置本体７０には、ＣＰＵ８０、ＲＯＭ８１、ＲＡＭ８２、ＨＤ８３（ハードディスク）及びＨＤＤ８４（ＨＤドライブ）、ＣＤ８５ａ（コンパクトディスク）用のＣＤＤ８５（ＣＤドライブ）、ＦＤ（フレキシブルディス）用のＦＤＤ８６（ＦＤドライブ）、Ｉ／Ｏ８７（入出力インターフェース）等が設けられ、これら８０〜８７はバス８８で互いに接続され、Ｉ／Ｏ８７に、マウス７１、キーボード７２、ディスプレイ７３の表示駆動回路７３ａが接続されている。
【００５９】
図１３に示すように、ＨＤ８４等の記憶部には、ＣＰＵ８０が実行する在庫管理プログラムが格納され、種類別医療品納入ファイル９０、種類別医療品消費ファイル９１、種類別医療品在庫ファイル９２が記憶されている。
【００６０】
図１４に示すように、種類別医療品在庫ファイル９２には、この医療機関１全体の種類別の医療品の在庫数量と、収納管理装置５，６を設置した部署（手術部、薬局、病棟等）毎の（即ち、各部署の１又は複数収納管理装置５，６毎に）種類別の医療品の在庫数量が記憶されている。この在庫管理装置７では、この種類別医療品在庫ファイル９２に記憶した種類別の医療品の最新の在庫数量と、各収納管理装置５，６から受信した消費医療品情報とに基づいて、種類別の医療品の在庫数量が演算されて記憶更新され、この処理は、各収納管理装置５，６から消費医療品情報を受信する度に行われる。
【００６１】
納入管理装置８は、図示省略するが、パーソナルコンピュータ等のデータ処理装置からなり、在庫管理装置７と同様の構成であるが、更に、バーコードリーダやＩＣリーダ等の読取装置を備えている。この納入管理装置８では、読取装置により納入された医療品のケースに付されたバーコードやＩＣから読取られた情報に基づいて、納入された医療品の種類と数量、更に、納品された医療品がどの部署の在庫となるかに関する納品医療品情報が作成されて、在庫管理装置７に送信される。尚、この納入管理装置８については、医療品納入を専門に引受ける部署及び／又は収納管理装置５，６を設置した各部署に設置する。
【００６２】
そして、在庫管理装置７では、種類別医療品在庫ファイル９２に記憶した種類別の医療品の最新の在庫数量と、納入管理装置８から受信した納品医療品情報（納入管理装置８を介して外部から受ける医療機関１に納入された種類別の医療品の納入数量）に基づいて、図１４に示す、種類別の医療品の在庫数量が演算されて記憶更新され、この処理は、納品管理装置８から納品医療品情報を受信する度に行われる。
【００６３】
尚、例えば、図１３に示す種類別医療品納入ファイル９０には、この医療機関１全体と部署毎に、納入された医療品の種類と数量が、納入日時等の情報を付随させて時系列的に記憶され、また、種類別医療品消費ファイル９１には、この医療機関１全体と部署毎に、消費された医療品の種類と数量が、消費日時等の情報を付随させて時系列的に記憶され、在庫管理装置７では、これらの情報や、これらの情報を加工した情報を出力できる。
【００６４】
以上説明した医療品管理システムＭＳ１によれば次の効果を奏する。
複数の医療品収納部１０と複数の医療品検出センサ１１とコンピュータ１２と複数の指示ランプ１３とを夫々有する複数の収納管理装置５，６を設けたので、各収納管理装置５，６において、医療品検出センサ１１が各医療品収納部１０への医療品の収納の有無を検出し、各患者に施す治療や検査に必要な医療品（取出し対象の医療品）に関する情報に基づいて、コンピュータ１２が指示ランプ１３を制御し、その指示ランプ１３が取出し対象の医療品を指示するため、その取出し対象の医療品の医療品収納部１０からの取出しを簡単に且つ確実に行って、その医療品の取揃え作業を効率化し、医療品の取揃えミスによる医療事故を極力防止できる。
【００６５】
また、各収納管理装置５，６において、コンピュータ１２は、各医療品収納部１０への医療品の収納の有無、医療品収納部１０に収納されている医療品の種類と数量、医療品収納部１０から取出した医療品の種類と数量、医療品収納部１０に取入れた（補充又は返却した）医療品の種類と数量等、複数の医療品収納部１０の医療品に関する管理情報を作成するので、この管理情報に基づいて、例えば、医療品の取出し前又は後の収納状態を、必要な医療品を過不足なく収納した適切な収納状態にしておくことができ、また、医療品の取出しの際、取出し対象の医療品が収納されていない場合には、それを指示するようにも構成することができる。
【００６６】
しかも、各収納管理装置５，６において、コンピュータ１２は、例えば、前記管理情報を利用することにより、更に、医療品収納部１０に医療品を取入れた場合には、その取入れが補充であるのか又は返却であるのかを指定することにより、消費した（つまり、在庫でなくなった）医療品の種類と数量を算出して、その種類と数量に関する消費医療品情報を作成する。ここで、使用した医療品の種類と数量の情報を記録できるため、その情報に基づいて医療保険請求を漏れなく確実に行うことができる。
【００６７】
そして、複数の収納管理装置５，６に通信可能に接続された在庫管理装置７が、この在庫管理装置７に記憶した種類別の医療品の最新の在庫数量と、各収納管理装置５，６から受信した消費医療品情報とに基づいて、種類別の医療品の在庫数量を演算し記憶するので、迅速に且つ簡単に且つ正確に、消費した医療品の種類と消費数量、種類別の医療品の在庫数量を取得でき、消費されて在庫数量が少なくなった医療品について、必要数量分を迅速且つ確実に発注して補充でき、その結果、この医療機関１の種類別の医療品の在庫数量を過不足のない適切な数量に確保できる。以上のことから、病院等の医療機関１の運営（経営）に貢献することが可能になる。
【００６８】
在庫管理装置７は、医療機関１に納入された種類別の医療品の納入数量を外部から受けて、前記納入数量に基づいて種類別の医療品の在庫数量を演算し記憶するので、この医療機関１における種類別の医療品の在庫数量を確実に取得できる。医療機関１は病院であり、この病院の医療品の取揃えが必要な各部署（手術部２等）に１又は複数の収納管理装置５，６を設置しているので、この収納管理装置５，６を設置した部署において、医療品の管理を確実に行うことができる。在庫管理装置７は、各部署の１又は複数の収納管理装置５，６毎に種類別の医療品の在庫数量を演算し記憶するので、この収納管理装置５，６を設置した部署毎に、種類別の医療品の在庫数量を管理し、それら在庫数量を過不足のない適切な数量に確保することができる。
【００６９】
尚、在庫管理装置７においては、在庫のある各医療品の使用期限を管理可能に構成することができる。この場合、例えば、在庫管理装置７のＨＤ８４等の記憶部に記憶された種類別医療品在庫ファイル９２に、各医療品の使用期限の情報を付随させて記憶させる。この場合、例えば、図１５に示すように、各医療品（例えば、医療品Ｎ）について、所定使用期限範囲（例えば、約１０日おきの使用期限範囲）毎に、その医療品の数量を記憶しておく。これにより、使用期限となった医療品の種類と数量、使用期限近くとなった医療品の種類と数量を確実に取得することが可能になる。
【実施例２】
【００７０】
図１６に示すように、実施例２の医療品管理システムＭＳ２においては、医療機関１の在庫管理装置７が、医療機関１に医療品を納入する複数の医療品納入社１００Ａ〜１００Ｃの医療品納入社端未１０１に、医療機関１のＬＡＮ９とインターネット１０５（通信手段）を介して夫々接続されると共に、種類別の医療品の目標在庫数量を設定する目標在庫数量設定手段１１０と、在庫管理装置６に記憶された種類別の医療品の在庫数量（図１４の種類別医療品在庫ファイル９２）と目標在庫数量設定手段１１０により設定された種類別の医療品の目標在庫数量とに基づいて、医療品納入社１００Ａ〜１００Ｃに発注すべき医療品の種類と数量を決定する発注決定手段１１１とを有する。
【００７１】
図１７に示すように、在庫管理装置７のＨＤ８４等の記憶部には、種類別医療品目標在庫ファイル９３、種類別医療品発注ファイル９４、医療品納入社マスタファイル９５が記憶されている。医療品納入社マスタファイル９５には、複数の医療品納入社の名称、住所、電話番号、ファクス番号、メールアドレス、ＵＲＬ等の情報の他、各医療品納入社について納入可能な１又は複数種類の医療品の医療品情報が記憶されている。
【００７２】
図１８に示すように、種類別医療品目標在庫ファイル９３には、この医療機関１全体の種類別の医療品の目標在庫数量と、収納管理装置５，６を設置した部署（手術部、薬局、病棟等）毎の（即ち、各部署の１又は複数収納管理装置５，６毎に）種類別の医療品の目標在庫数量が記憶されている。ここで、これら目標在庫数量の各々については、目標在庫数量設定手段１１０により、医療機関１側が決める任意の目標在庫数量を設定できるが、自動的に、過去の目標在庫数量の場合の医療品の在庫数量の過不足の有無を判定し、医療品の過不足が生じない適当な目標在庫数量を算出して設定するように構成してもよい。
【００７３】
図１９に示すように、種類別医療品発注ファイル９４に、各医療品納入社１００Ａ〜１００Ｃ毎に発注すべき医療品の種類と数量が記憶されている。ここで、各医療品納入社１００Ａ〜１００Ｃ毎に発注すべき医療品については、発注決定手段１１１により、図１４の種類別医療品在庫ファイル９２と、図１８の種類別医療品目標在庫ファイル９３と、医療品納入社マスタファイル９５に基づいて決定される。但し、発注すべき医療品を取り扱っている医療品納入社が複数ある場合には、医療品の納入単価が低い医療品納入社、或いは、医療品の納入日が速い医療品納入社を、発注する医療品納入社に決定するようにしてもよい。その為の情報は医療品納入社マスタファイル９５に記憶しておくものとする。
【００７４】
さて、図１６に示すように、この医療品管理システムＭＳ２は、医療機関１の複数の収納管理装置５，６と在庫管理装置７と納入管理装置８にＬＡＮ９により接続された医療機関端未１１２を備え、この医療機関端未１１２がインターネット１０５を介して複数の医療品納入社１００Ａ〜１００Ｃの医療品納入社端未１０１に夫々接続される。そして、この医療機関端未１１２が、在庫管理装置７の発注決定手段１１１により決定された医療品の種類と数量を含む発注情報を、発注すべき医療品納入社１００Ａ〜１００Ｃに分別して、その医療品納入社端未１０１に出力して発注する発注手段１１３を有する。ここで、発注手段１１３による発注は、一定期間（例えば、一週間、１カ月等）毎、或いは、各医療品について、在庫の数量を監視してその在庫数量が所定数量未満になった場合に自動的に行うように構成してある。
【００７５】
尚、各医療品納入社１００Ａ〜１００Ｃにおいては、医療機関１からの発注情報を医療品納入社端未１０１で受信し、その医療品を受注した場合には、その受注確認情報を医療品納入社端未１０１からインターネット１０５を介して医療機関１の医療機関端未１１２に送信するように構成することが好ましい。尚、この医療品管理システムＭＳ２の医療機関１の収納管理装置５，６、在庫管理装置７、納入管理装置８の前記以外の構成と機能については、基本的に実施例１の医療品管理システムＭＳ２と同様である。
【００７６】
この医療品管理システムＭＳ２によれば次の効果を奏する。
在庫管理装置７が、医療機関１に医療品を納入する医療品納入社１００Ａ〜１００Ｃの医療品納入社端未１０１にＬＡＮ９及びインターネット１０５を介して接続されると共に、この在庫管理装置７に記憶された種類別の医療品の在庫数量に基づいて、医療品納入社１００Ａ〜１０１Ｃに発注すべき医療品の種類と数量を決定する発注決定手段１１１を有し、発注決定手段１１１により決定された医療品の種類と数量を含む発注情報を医療品納入社端未１０１に出力して発注する発注手段１１３を備えたので、医療品納入社１００Ａ〜１００Ｃに発注すべき医療品の種類と数量を確実に決定でき、その医療品の種類と数量の医療品納入社１００Ａ〜１００Ｃへの発注を円滑に且つ確実に行うことができる。
【００７７】
在庫管理装置７は、種類別の医療品の目標在庫数量を設定する目標在庫数量設定手段１１０を有すると共に、発注決定手段１１１は、前記在庫数量と前記目標在庫数量とに基づいて医療品納入社１００Ａ〜１００Ｃに発注すべき医療品の種類と数量を決定するので、種類別の医療品の目標在庫数量を設定しておくことにより、自動的に医療品納入社１００Ａ〜１００Ｃに発注すべき医療品の種類と数量を決定することができる。また、医療機関１と医療品納入社１００Ａ〜１００Ｃとの間の種々の取引データを管理可能にすることもでき、医療機関１、医療品納品社１００Ａ〜１００Ｃの事務処理等の軽減を図ることができる。その他、基本的に実施例１の医療品管理システムＭＳ１と同様の効果を奏する。
【実施例３】
【００７８】
図２０に示すように、実施例３の医療品管理システムＭＳ３においては、複数の医療機関１Ａ〜１Ｃを備え、各医療機関１Ａ〜１Ｃに、複数の医療材料収納管理装置５と、複数の薬品収納管理装置６と、納入管理装置７と、医療機関端未１２０が設けられて、これら収納管理装置５，６と納入管理装置７と医療機関端未１２０とを通信可能に接続したＬＡＮ９が構築され、実施例１，２の在庫管理装置７に相当するものは、各医療機関１Ａ〜１Ｃの医療機関端未１２０にインターネット１０５（通信手段）を介して接続される管理サーバ１３０のデータ処理装置１３１からなり、このデータ処理装置１３１に、インターネット１０５を介して複数の医療品納入社１００Ａ〜１００Ｃの医療品納入社端未１０１も夫々接続される。
【００７９】
図２１に示すように、管理サーバ１３０のデータ処理装置１３１には、そのＨＤ等の記憶部１３２に、在庫管理プログラムが格納され、医療品マスタファイル１４０、医療品納入社マスタファイル１４１、複数の医療機関１Ａ〜１Ｃの管理ファイル１４２が記憶され、各医療機関１Ａ〜１Ｃの管理ファイル１４２に、種類別医療品納入ファイル１５０、種類別医療品消費ファイル１５１、種類別医療品在庫ファイル１５２、種類別医療品目標在庫ファイル１５３、種類別医療品発注ファイル１５４が記憶されている。
【００８０】
このデータ処理装置１３１が、前記ファイル１４０〜１４２、１５０〜１５４に基づいて、前記在庫管理プログラムを実行することにより、各医療機関１Ａ〜１Ｃにおける、種類別の医療品の在庫数量を演算して記憶し、更には、各部署の１又は複数の収納管理装置５，６毎に種類別の医療品の在庫数量を演算して記憶し、また、種類別の医療品の目標在庫数量を設定し、更には、各部署の１又は複数の収納管理装置５，６毎に種類別の医療品の目標在庫数量を設定し、医療品納入社１００Ａ〜１００Ｃに発注すべき医療品の種類と数量を決定し、発注すべき医療品の種類と数量を含む発注情報を医療品納入社１００Ａ〜１００Ｃの医療品納入社端未１０１に出力して発注するように構成することができる。
【００８１】
但し、各医療機関１Ａ〜１Ｃにおいては、消費した医療品の種類と数量に関する消費医療品情報を作成して管理サーバ１３０へインターネット１０５を介して出力することになり、例えば、その消費医療品情報は医療機関端未１２０により作成される。この医療管理システムＭＳ３は、基本的には、実施例２の医療管理システムＭＳ２において、医療機関１の在庫管理装置７を省略して、その在庫管理装置７の機能を管理サーバ１３０のデータ処理装１３１に持たせ、その医療機関１を複数の医療機関１Ａ〜１Ｃに変更した構成となる。また、前記ファイル１４０〜１４２、１５０〜１５４の情報については、基本的に実施例１，２の医療管理システムＭＳ１，２の場合と同様である。
【００８２】
この医療管理システムＭＳ３によれば次の効果を奏する。
各医療機関１Ａ〜１Ｃに複数の収納管理装置５，６と医療機関端未１２０とを通信可能に接続したＬＡＮ９を構築し、実施例１，２の在庫管理装置７に相当するものが、医療機関端未１２０インターネット１０５を介して接続される管理サーバ１３０のデータ処理装置１３１からなるので、この医療品管理システムＭＳ３の医療品を管理する大部分の処理を医療機関１Ａ〜１Ｃ外部の管理サーバ１３０のデータ処理装置１３１で実行させることができ、各医療機関１Ａ〜１Ｃにおいては、この医療品管理システムＭＳ３を構築する負担を極力抑えて、この医療品管理システムＭＳ３を適用できるため、この医療品管理システムＭＳ３が汎用性に非常に優れたものになる。
【００８３】
管理サーバ１３０に、前記ＬＡＮ９を夫々備えた複数の医療機関１Ａ〜１Ｃと医療品納入社端未１０１を夫々備えた複数の医療品納入社１００Ａ〜１００Ｃとを接続可能に構成したので、複数の医療機関１Ａ〜１Ｃがこの医療品管理システムＭＳ３の管理サーバ１３０を共有でき、また、各医療機関１Ａ〜１Ｃにおいて、多種多様の医療品を管理サーバ１３０を介して複数の医療品納入社１００Ａ〜１００Ｃの中の適当な医療品納入社１００Ａ〜１００Ｃに発注することができる。
【実施例４】
【００８４】
実施例４では、実施例２の医療品管理システムＭＳ２において、また、実施例３の医療品管理システムＭＳ３において、目標在庫数量設定手段１１１（つまり、目標在庫数量設定手段１１１を構成するコンピュータ）が実行する目標在庫数量の変更設定処理の具体例について、図２２〜図２５に基づいて説明する。尚、図２２と図２４のフローチャート中のＳｉ（ｉ＝１、２、３・・・）は各ステップを示す。
【００８５】
前記の通り、目標在庫数量設定手段１１１は、種類別の医療品の目標在庫数量を設定するための手段であり、その設定された目標在庫数量と種類別の医療品の在庫数量とに基づいて、医療品納入社に発注すべき医療品の種類と数量を決定する。例えば、ある医療品の目標在庫数量がＸに設定されている場合、その医療品の在庫数量がＹのときには、その医療品の発注すべき数量は（Ｘ−Ｙ）となる。
【００８６】
ここで、複数種類の医療品については夫々消費量（使用頻度）が異なり、各医療品の消費量は、医療機関の形態（例えば、内科病院、外科病院、総合病院等）、医療機関を利用する患者の人数や年齢層や病気分布、季節、等によっても異なってくる。従来より、こうしたパラメータは変動するものであり、こうしたパラメータに応じて、各医療品を過不足なく発注するために、各医療品の目標在庫数量を適切な値に変更設定することは非常に難しいが、その変更設定を目標在庫数量設定手段１１１により実現することができる。
【００８７】
先ず、図２２のフローチャートでは、各医療品の所定の在庫期間毎に目標在庫数量を変更設定可能に構成してある。この目標在庫数量の変更設定処理では、先ず、Ｓ１において、各医療品の所定の在庫判定時期（例えば、前回判定時から数日（１週間等）後であり、この医療品の発注時期と同時期に設定）であるか否か判定され、Ｓ１；Yes の場合、Ｓ２において、その判定対象となった医療品の在庫数量Ａ、目標在庫数量Ｂ、在庫数量下限設定値Ａ１と上限設定値Ａ２が読込まれる。
【００８８】
ここで、Ｓ２において、医療品の在庫数量Ａは種類別医療品在庫ファイルから読取られ、目標在庫数量Ｂは種類別医療品目標在庫ファイルから読取られる。但し、医療品の在庫数量Ａについては、今回（つまり、前回の在庫判定時期以降の１回）の在庫数量を適用してもよいし、今回及び過去複数回の在庫数量の平均値を適用してもよく、この場合、過去複数回分の在庫数量を累積的に記憶しておいてもよい。また、在庫数量下限設定値Ａ１と上限設定値Ａ２については、この目標在庫数量の変更設定処理の開始時に既に設定されている値であるが、変更設定可能に構成でき、この場合、オペレータが自由に変更設定してもよいし、自動的に適正な値となるように変更設定されるようにしてもよい。
【００８９】
ここで、図２３に示すように、各医療品において、前回の発注後の納入時には、在庫数量Ａがほぼ目標在庫数量Ｂと同じに（実際は発注から納入までの間に消費された数量だけ小さく）なり、在庫判定時期において、在庫数量Ａは消費され少なくなっている。そして、次に、Ｓ３において、その在庫数量Ａが在庫数量下限設定値Ａ１以上且つ上限設定値Ａ２以下であるか否か、つまり、Ａ１≦Ａ≦Ａ２であるか否か判定される。
【００９０】
Ｓ３；Yes の場合、所定の在庫判定時期に適正な在庫数量になったということであり、目標在庫数量Ｂは変更設定されず、リターンする。一方、Ｓ３；Noの場合、所定の在庫判定時期に適正な在庫数量にならなかったということであり、Ｓ４において、過不足数量α＝Ａ−在庫数量設定値Ａｍが算出され、Ｓ５において、目標在庫数量Ｂが（Ｂ−α）に変更設定される。尚、Ａｍは、例えば、Ａ１とＡ２の平均値である。つまり、図２３に示すように、（１）Ａ１≦Ａ≦Ａ２の場合には、目標在庫数量Ｂは変更設定されず、（２）Ａ＞Ａ２の場合、目標在庫数量Ｂは（Ａ−Ａｍ）分小さくなるように変更設定され、（３）Ａ＜Ａ１の場合、目標在庫数量Ｂは（Ａｍ−Ａ）分大きくなるように変更設定される。
【００９１】
また、別の形態として、図２４のフローチャートでは、各医療品の在庫数量が所定の在庫数量下限値Ａ３以下になる毎に目標在庫数量を変更設定可能に構成してある。この目標在庫数量の変更設定処理では、先ず、Ｓ１０において、各医療品の在庫数量Ａ、目標在庫数量Ｂ、在庫数量下限値Ａ３、在庫数量下限値到達期間下限設定値Ｃ１と上限設定値Ｃ２が読込まれる。
【００９２】
ここで、Ｓ１０において、医療品の在庫数量Ａは種類別医療品在庫ファイルから読取られ、目標在庫数量Ｂは種類別医療品目標在庫ファイルから読取られる。また、在庫数量下限値Ａ３、在庫数量下限値到達期間下限設定値Ｃ１と上限設定値Ｃ２については、この目標在庫数量の変更設定処理の開始時に既に設定されている値であるが、変更設定可能に構成でき、この場合、オペレータが自由に変更設定してもよいし、自動的に適正な値となるように変更設定されるようにしてもよい。
【００９３】
次に、Ｓ１１において、在庫数量Ａが在庫数量下限値Ａ３以下になったか否か、つまり、Ａ≦Ａ３か否か判定され、Ｓ１１；Yes の場合、Ｓ１２において、この医療品の前回の発注後からの在庫数量下限値到達期間Ｃが算出される。次に、Ｓ１３において、その在庫数量下限値到達期間Ｃが在庫数量下限値到達期間下限設定値Ｃ１以上且つ上限設定値Ｃ２以下であるか否か、つまり、Ｃ１≦Ｃ≦Ｃ２であるか否か判定される。
【００９４】
Ｓ１３；Yes の場合、在庫数量下限値到達期間Ｃが適正な期間であったということになり、目標在庫数量Ｂは変更設定されず、リターンする。一方、Ｓ１３；Noの場合、在庫数量下限値到達期間Ｃが適正な期間でなかったということになり、Ｓ１４において、在庫数量下限値到達期間設定値Ｃｍの在庫数量下限値到達期間Ｃに対する比率β＝在庫数量下限到達期間設定値Ｃｍ÷Ｃが算出され、その後、Ｓ１５において、目標在庫数量Ｂが（Ｂ×β）に変更設定される。尚、Ｃｍは、例えば、Ｃ１とＣ２の平均値である。
【００９５】
つまり、図２５に示すように、前回の発注後の納入時には、在庫数量Ａがほぼ目標在庫数量Ｂと同じに（実際は発注から納入までの間に消費された数量だけ小さく）なり、その在庫数量Ａが消費され少なくなって在庫数量下限値Ａ３以下になった時、（１）Ｃ１≦Ｃ≦Ｃ２の場合には、目標在庫数量Ｂは変更設定されず、（２）Ｃ＞Ｃ２の場合、また、（３）Ｃ＜Ｃ１の場合、目標在庫数量Ｂは（Ｂ×β）となるように変更設定される。
【００９６】
このように、目標在庫数量Ｂを自動的に適切な値となるように変更設定することができるため、医療品納入社に発注すべき医療品の種類と数量を適切に決定して、種類別の医療品の在庫数量を過不足のない適切な数量に確保することが可能になる。尚、医療品を発注する際には、過去に使用した医療品の種類と数量と、今後使用すると決まっている医療品の種類と数量とを対比し、特定の医療品の使用予定数量が多く又は少なくなる場合等、その対比情報に基づいて医療品の発注数量を増減し補正するようにしてもよい。
【００９７】
尚、実施例１〜４の医療管理システムにおいては、病院以外の薬局や福祉施設等の種々の医療機関に適用することが可能である。また、本発明の趣旨を逸脱しない範囲において、前記開示した事項以外に種々の変更を付加して実施可能である。
【図面の簡単な説明】
【００９８】
【図１】実施例１に係る医療管理システムの構成図である。
【図２】収納管理装置の機器のブロック図である。
【図３】収納管理装置の記憶装置に記憶された情報を示す図である。
【図４】医療品マスタファイルに記憶された医療品情報を示す図である。
【図５】対応情報ファイルに記憶された対応情報テーブルを示す図である。
【図６】管理情報を示す図である。
【図７−１】医療材料収納管理装置の扉が閉じた状態の正面図である。
【図７−２】医療材料収納管理装置の扉が開いた状態の正面図である。
【図７−３】医療材料収納管理装置の要部の斜視図である。
【図７−４】医療材料収納管理装置の要部の分解斜視図である。
【図８−１】医療材料収納管理装置の扉が開いた状態の正面図である。
【図８−２】医療材料収納管理装置の要部の斜視図である。
【図８−３】医療材料収納管理装置の要部の分解斜視図である。
【図９−１】医療材料収納管理装置の扉が開いた状態の正面図である。
【図９−２】医療材料収納管理装置の要部の正面図である。
【図９−３】医療材料収納管理装置の要部の医療品未収納状態の縦断面図である。
【図９−４】医療材料収納管理装置の要部の医療品収納状態の縦断面図である。
【図１０−１】医療材料収納管理装置の斜視図である。
【図１０−２】医療材料収納管理装置の要部の斜視図である。
【図１１】在庫管理装置の斜視図である。
【図１２】在庫管理装置の機能ブロック図である。
【図１３】在庫管理装置の記憶部に記憶された情報を示す図である。
【図１４】種類別医療品在庫ファイルの情報を示す図である。
【図１５】各医療品の使用期限の情報を示す図である。
【図１６】実施例２に係る医療管理システムの構成図である。
【図１７】在庫管理装置の記憶部に記憶された情報を示す図である。
【図１８】種類別医療品目標在庫ファイルの情報を示す図である。
【図１９】種類別医療品発注ファイルの情報を示す図である。
【図２０】実施例３に係る医療管理システムの構成図である。
【図２１】在庫管理装置の記憶部に記憶された情報を示す図である。
【図２２】実施例４の目標在庫数量の変更設定処理のフローチャートである。
【図２３】図２２の処理による目標在庫数量の変更過程を示す説明図である。
【図２４】実施例４の別の形態の目標在庫数量の変更設定処理のフローチャートである。
【図２５】図２４の処理による目標在庫数量の変更過程を示す説明図である。
【符号の説明】
【００９９】
ＭＳ１，ＭＳ２，ＭＳ３  医療品管理システム
１，１Ａ〜１Ｃ  医療機関
５，５Ａ〜５Ｄ，６  収納管理装置
７  在庫管理装置
８  納入管理装置
９  ローカルエリアネットワーク（ＬＡＮ）
１０，１０Ａ〜１０Ｄ  医療品収納部
１１，１１Ａ〜１１Ｃ  医療品検出センサ
１１Ｄ  アンテナ
１２，１２Ａ〜１２Ｄ  コンピュータ
１３，１３Ａ〜１３Ｄ  指示ランプ
１００Ａ〜１００Ｃ  医療品納入社
１０１  医療品納入社端未
１０５  インターネット
１１０  目標在庫数量設定手段
１１１  発注決定手段
１１２，１２０  医療機関端未
１１３  発注手段
１３０  管理サーバ
１３１  データ処理装置
【図１】
2006149955.tif 000003
【図２】
2006149955.tif 000004
【図３】
2006149955.tif 000005
【図４】
2006149955.tif 000006
【図５】
2006149955.tif 000007
【図６】
2006149955.tif 000008
【図７−１】
2006149955.tif 000009
【図７−２】
2006149955.tif 000010
【図７−３】
2006149955.tif 000011
【図７−４】
2006149955.tif 000012
【図８−１】
2006149955.tif 000013
【図８−２】
2006149955.tif 000014
【図８−３】
2006149955.tif 000015
【図９−１】
2006149955.tif 000016
【図９−２】
2006149955.tif 000017
【図９−３】
2006149955.tif 000018
【図９−４】
2006149955.tif 000019
【図１０−１】
2006149955.tif 000020
【図１０−２】
2006149955.tif 000021
【図１１】
2006149955.tif 000022
【図１２】
2006149955.tif 000023
【図１３】
2006149955.tif 000024
【図１４】
2006149955.tif 000025
【図１５】
2006149955.tif 000026
【図１６】
2006149955.tif 000027
【図１７】
2006149955.tif 000028
【図１８】
2006149955.tif 000029
【図１９】
2006149955.tif 000030
【図２０】
2006149955.tif 000031
【図２１】
2006149955.tif 000032
【図２２】
2006149955.tif 000033
【図２３】
2006149955.tif 000034
【図２４】
2006149955.tif 000035
【図２５】
2006149955.tif 000036